(57)【要約】【課題】フィルタを容易に挿入できるようにする。【解決手段】ケーシング１０内において主吸込口１０ａから前面熱交換器２２ａに至る流路に、上部フィルタ１６ａ及び下部フィルタ１６ｂを設ける。上部フィルタ１６ａの装着領域の下端部（ａ２で示す領域）よりもフィルタ挿入方向（上方向）に関して下流側の部分（ａ１で示す領域）は、輻射パネル３０によって覆われている。開閉パネル４２が取り外されたフィルタ挿入可能状態において、上部フィルタ１６ａは、輻射パネル３０によって覆われた領域ａ１に向かって挿入され、下部フィルタ１６ｂは、上部フィルタ１６ａの挿入方向とは反対方向（下方向）に挿入される。【選択図】図４
2012102888.tif 000002
【特許請求の範囲】
【請求項１】
吸込口を有すると共に熱交換器を収容したケーシングと、
前記ケーシング内において前記吸込口から前記熱交換器に至る流路に設けられたフィルタとを備え、
前記ケーシングが、フィルタ挿入可能状態において、フィルタ装着領域の少なくとも一部を覆うように設けられた外周部分を有し、
前記フィルタが、
前記外周部分によって覆われた領域に向かって挿入される第１フィルタと、
前記第１フィルタの挿入方向と反対方向に挿入される第２フィルタとに分割されていることを特徴とする空気調和機。
【請求項２】
前記第１フィルタと前記第２フィルタとが、上下方向に並ぶように設けられていることを特徴とする請求項１に記載の空気調和機。
【請求項３】
前記第１フィルタの面積が、前記第２フィルタの面積より小さいことを特徴とする請求項１または２に記載の空気調和機。
【請求項４】
前記ケーシングが、冷媒回路を構成する配管の一部を有する輻射パネルを含む前面パネルを備え、
前記外周部分が、前記輻射パネルで構成されていることを特徴とする１〜３のいずれか１項に記載の空気調和機。
【請求項５】
前記輻射パネルが、前記ケーシングの高さ方向中央より上方に設けられていることを特徴とする請求項４に記載の空気調和機。
【請求項６】
前記ケーシングが、前記外周部分の近傍において開閉可能に設けられた開閉部材を有しており、
前記開閉部材が、開状態となることによってフィルタ挿入可能状態となることを特徴とする請求項１〜５のいずれか１項に記載の空気調和機。
【請求項７】
前記空気調和機が、床置き室内機であることを特徴とする請求項１〜６のいずれか１項に記載の空気調和機。
【発明の詳細な説明】
【技術分野】
【０００１】
本発明は、吸込口から熱交換器に至る流路に設けられたフィルタを有する空気調和機に関するものである。
【背景技術】
【０００２】
空気調和機は、吸込口を有すると共に熱交換器を収容したケーシング内において、吸込口から熱交換器に至る流路にフィルタが設けられている。係るフィルタは、挿入方向に沿って延在した１枚の矩形状部材として構成されており、そのフィルタ装着領域の一端部から一方向に沿って挿入されるのが一般的である（例えば、特許文献１参照）。
【先行技術文献】
【特許文献】
【０００３】
【特許文献１】特開２０１０−７８３１１号公報
【発明の概要】
【発明が解決しようとする課題】
【０００４】
上述のような空気調和機において、ケーシングの一部によってフィルタ装着領域の一部分が覆われている場合が考えられる。このような構成の空気調和機では、ケーシングの一部によって覆われた領域に向けてフィルタを挿入する際に、特にフィルタの面積が大きい場合には、１枚のフィルタをケーシングの一部の背面側に挿入するのが難しいことがある。
【０００５】
そこで、本発明は、上記のような課題を解決するためになされたものであり、フィルタを容易に挿入することができる空気調和機を提供することを目的とする。
【課題を解決するための手段】
【０００６】
第１の発明に係る空気調和機は、吸込口を有すると共に熱交換器を収容したケーシングと、前記ケーシング内において前記吸込口から前記熱交換器に至る流路に設けられたフィルタとを備え、前記ケーシングが、フィルタ挿入可能状態において、フィルタ装着領域の少なくとも一部を覆うように設けられた外周部分を有し、前記フィルタが、前記外周部分によって覆われた領域に向かって挿入される第１フィルタと、前記第１フィルタの挿入方向と反対方向に挿入される第２フィルタとに分割されている。
【０００７】
この空気調和機では、第１フィルタと第２フィルタとの２つにフィルタを分割することにより、１枚のフィルタを外周部分によって覆われた領域に向かって挿入する場合に比べて、外周部分によって覆われた領域へのフィルタの挿入を容易にできる。また、第１フィルタと第２フィルタとは互いに反対方向に挿入されることから、１枚のフィルタが一方向に挿入される場合と比べて、容易に挿入できる。
【０００８】
第２の発明に係る空気調和機では、第１の発明に係る空気調和機において、前記第１フィルタと前記第２フィルタとが、上下方向に並ぶように設けられている。
【０００９】
この空気調和機では、上方に位置する第１フィルタのフィルタ装着領域は、外周部分で覆われている。よって、空気調和機が床面近傍に設置されている場合には、このフィルタ装着領域を目視することは困難であるが、本発明を適用することで、第１フィルタを容易に挿入できる。
【００１０】
第３の発明に係る空気調和機では、第１または第２の発明に係る空気調和機において、前記第１フィルタの面積が、前記第２フィルタの面積より小さい。
【００１１】
この空気調和機では、そのフィルタ装着領域が外周部分で覆われた第１フィルタの面積が比較的小さいので、装着がより容易である。
【００１２】
第４の発明に係る空気調和機では、第１〜第３のいずれかの発明に係る空気調和機において、前記ケーシングが、冷媒回路を構成する配管の一部を有する輻射パネルを含む前面パネルを備え、前記外周部分が、前記輻射パネルで構成されている。
【００１３】
この空気調和機では、冷媒回路を構成する配管の一部を有しており、簡単に取り外すことができない輻射パネルでフィルタ装着領域が覆われている場合でも、フィルタ領域が覆われたままの状態でフィルタを容易に挿入できる。
【００１４】
第５の発明に係る空気調和機では、第４の発明に係る空気調和機において、前記輻射パネルが、前記ケーシングの高さ方向中央より上方に設けられている
【００１５】
この空気調和機では、空気調和機が床面近傍に設置されており、輻射パネルの下方から輻射パネルで覆われた領域にフィルタを挿入する場合でも、容易にフィルタを挿入できる。
【００１６】
第６の発明に係る空気調和機では、第１〜第５のいずれかの発明に係る空気調和機において、前記ケーシングが、前記外周部分の近傍において開閉可能に設けられた開閉部材を有しており、前記開閉部材が、開状態となることによってフィルタ挿入可能状態となる。
【００１７】
この空気調和機では、開閉部材を開くことによって、第１フィルタ及び第２フィルタを挿入できる。
【００１８】
第７の発明に係る空気調和機では、第１〜第６のいずれかの発明に係る空気調和機において、前記空気調和機が、床置き室内機である。
【００１９】
この空気調和機では、目線よりも下方に設置される床置き室内機において、外周部分で覆われたフィルタ装着領域にフィルタを容易に挿入できる。
【発明の効果】
【００２０】
以上の説明に述べたように、本発明によれば、以下の効果が得られる。
【００２１】
第１の発明では、第１フィルタと第２フィルタとの２つにフィルタを分割することにより、１枚のフィルタを外周部分によって覆われた領域に向かって挿入する場合に比べて、外周部分によって覆われた領域へのフィルタの挿入を容易にできる。また、第１フィルタと第２フィルタとは互いに反対方向に挿入されることから、１枚のフィルタが一方向に挿入される場合と比べて、容易に挿入できる。
【００２２】
第２の発明では、上方に位置する第１フィルタのフィルタ装着領域は、外周部分で覆われている。よって、空気調和機が床面近傍に設置されている場合には、このフィルタ装着領域を目視することは困難であるが、本発明を適用することで、第１フィルタを容易に挿入できる。
【００２３】
第３の発明では、そのフィルタ装着領域が外周部分で覆われた第１フィルタの面積が比較的小さいので、装着がより容易である。
【００２４】
第４の発明では、冷媒回路を構成する配管の一部を有しており、簡単に取り外すことができない輻射パネルでフィルタ装着領域が覆われている場合でも、フィルタ領域が覆われたままの状態でフィルタを容易に挿入できる。
【００２５】
第５の発明では、空気調和機が床面近傍に設置されており、輻射パネルの下方から輻射パネルで覆われた領域にフィルタを挿入する場合でも、容易にフィルタを挿入できる。
【００２６】
第６の発明では、開閉部材を開くことによって、第１フィルタ及び第２フィルタを挿入できる。
【００２７】
第７の発明では、目線よりも下方に設置される床置き室内機において、外周部分で覆われたフィルタ装着領域にフィルタを容易に挿入できる。
【図面の簡単な説明】
【００２８】
【図１】本発明の実施形態に係る空気調和機の回路図である。
【図２】図１に示す床置き室内機の斜視図である。
【図３】図１に示す床置き室内機の正面図である。
【図４】図３に示す床置き室内機のIV-IV線に沿う断面図である。
【図５】図３に示す床置き室内機の前面グリル及び開閉パネルを外した状態を示す図である。
【図６】図５に示す状態の床置き室内機並びに前面グリル、サイドカバー、上部フィルタ、下部フィルタ及び開閉パネルの分解斜視図である。
【図７】図６に示す一点鎖線で囲まれた部分の拡大図である。
【図８】図４に示す断熱カバーの背面の斜視図である。
【図９】図８に示す断熱カバーのIX-IX線に沿う断面図である。
【図１０】（ａ）は図８に示す断熱カバーのX-X線に沿う断面図であり、（ｂ）は（ａ）において一点鎖線で囲まれた部分の拡大図である。
【図１１】図３に示す床置き室内機の開閉パネルを外した状態を示す模式図である。
【図１２】図１１に示す前面グリル及び輻射パネルにそれぞれ設けられた主ガイドを示す模式図である。
【図１３】図１２に示す上フィルタガイド部材に上部フィルタを装着する手順を説明するための図である。
【図１４】図１２に示す下フィルタガイド部材に下部フィルタを装着する手順を説明するための図である。
【図１５】本実施形態の第１の変形例に係る空気調和機の主ガイドを示す模式図である。
【図１６】本実施形態の第２の変形例に係る空気調和機の主ガイドを示す模式図である。
【発明を実施するための形態】
【００２９】
以下、本発明の実施形態に係る空気調和機１００について説明する。
【００３０】
＜空気調和機１００の概略構成＞
図１に示すように、本実施形態の空気調和機１００は、室内に設置される床置き室内機１（以下、単に「室内機」と称する）と、室外に設置される室外機５とを備えている。室内機１は、室内熱交換器２２と、室内熱交換器２２の近傍に配置されたクロスフローファン２１と、輻射パネル３０と、室内電動弁１７と、室内の気温を検出するための室内温度センサ４６とを備えている。また、室外機５は、圧縮機５０と、四路切換弁５１と、室外熱交換器５２と、室外熱交換器５２の近傍に配置された室外ファン５３と、室外電動弁５４とを備えている。
【００３１】
冷媒回路６０は、室内熱交換器２２、圧縮機５０、四路切換弁５１、室外熱交換器５２及び室外電動弁５４が接続された環状の主流路６１を有している。室外熱交換器５２には、室外熱交温度センサ５７が付設されている。主流路６１を構成する室内機１内の配管における室内熱交換器２２の両側には、分岐部６０ａ、６０ｂがそれぞれ設けられている。そして、分岐部６０ａ、６０ｂには、バイパス配管６２の両端が接続されている。すなわち、室内熱交換器２２の両側の配管が、バイパス配管６２によって接続されている。このバイパス配管６２には、輻射パネル３０と室内電動弁１７とが設けられている。バイパス配管６２における輻射パネル３０の両側には、パネル入温度センサ２７とパネル出温度センサ２８とが付設されている。また、主流路６１における圧縮機５０の吸入側と四路切換弁５１との間にはアキュムレータ５５が介設されており、圧縮機５０の吐出側と四路切換弁５１との間には、吐出温度センサ５６が付設されている。
【００３２】
室内熱交換器２２は、冷媒回路６０の一部を構成する配管を有しており、室内熱交温度センサ２９が付設されている。室内熱交換器２２は、クロスフローファン２１の風上側に配置されている。室内熱交換器２２内を流れる冷媒との熱交換により加熱または冷却された空気が、クロスフローファン２１によって温風または冷風として室内に吹き出されることで、温風暖房または冷房が行われる。
【００３３】
輻射パネル３０は、後で詳述するように、室内機１の表面の一部を構成しており、冷媒回路６０の一部を構成するパネル配管３３（図４参照）を有している。このパネル配管３３を流れる冷媒の熱が、室内に輻射されることで、輻射暖房が行われる。室内電動弁１７は、輻射パネル３０に供給される冷媒の流量を調整するために設けられている。
【００３４】
本実施形態の空気調和機１００において実施される運転モードとしては、冷房モード、温風暖房モード及び輻射暖房モードがある。冷房モードは、輻射パネル３０に冷媒を流さないで室内熱交換器２２に冷媒を流して冷房を行うモードであって、温風暖房モードは、輻射パネル３０に冷媒を流さないで室内熱交換器２２に冷媒を流して温風暖房を行うモードである。輻射暖房モードは、室内熱交換器２２に冷媒を流して温風暖房を行いつつ、輻射パネル３０に冷媒を流して輻射暖房を行うモードである。
【００３５】
温風暖房モードにおいては、室内電動弁１７が閉弁されると共に、四路切換弁５１が図１中実線で示す状態に切り換えられる。そのため、図１中実線の矢印で示すように、圧縮機５０から吐出された高温高圧冷媒は、四路切換弁５１を通って、室内熱交換器２２に流入する。そして、室内熱交換器２２において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００３６】
輻射暖房モードにおいては、室内電動弁１７が開弁されると共に、四路切換弁５１が図１中実線で示す状態に切り換えられる。そのため、図１中破線の矢印で示すように、圧縮機５０から吐出された高温高圧冷媒は、四路切換弁５１を通って、室内熱交換器２２と輻射パネル３０とに流入する。そして、室内熱交換器２２と輻射パネル３０において凝縮した冷媒は、室外電動弁５４で減圧された後、室外熱交換器５２に流入する。そして、室外熱交換器５２において蒸発した冷媒は、四路切換弁５１及びアキュムレータ５５を介して、圧縮機５０に流入する。
【００３７】
＜室内機１の構成＞
次に、室内機１の構成について説明する。
図２に示すように、室内機１は、全体として直方体形状を有しており、室内の床面近傍に据え付けるものである。本実施形態においては、室内機１は、床面から１０ｃｍ程度浮かした状態で、壁面に取り付けられている。なお、以下の説明において、室内機１が取り付けられる壁から突出する方向を「前方」と称し、その反対の方向を「後方」と称する。また、図２に示す左右方向を単に「左右方向」と称し、上下方向を単に「上下方向」と称する。
【００３８】
図４に示すように、室内機１は、ケーシング１０と、ケーシング１０内に収容されたクロスフローファン２１、室内熱交換器２２、吹出口ユニット２５及び電装品ユニット２６などの内部機器と、前面グリル１２とを主に備えている。後で詳述するように、ケーシング１０は、その下端部の前方に形成された主吸込口１０ａと、その前壁に形成された補助吸込口１０ｂ、１０ｃとを有している。さらに、ケーシング１０の上端部には、吹出口１０ｄが形成されている。ケーシング１０内には、主吸込口１０ａ及び補助吸込口１０ｂから吹出口１０ｄに至る流路が形成されている。室内機１においては、クロスフローファン２１の駆動により、主吸込口１０ａから床面近傍にある空気を吸い込みつつ、補助吸込口１０ｂ、１０ｃからも空気を吸い込む。そして、室内熱交換器２２において、吸い込んだ空気に対して加熱または冷却などを行い調和し、調和後の空気を吹出口１０ｄから吹き出して室内へと返流させる。
【００３９】
ケーシング１０は、本体フレーム１１、吹出口カバー４１、輻射パネル３０、開閉パネル（開閉部材）４２及びサイドパネル１５（図６参照）で構成されている。なお、後述するように、吹出口カバー４１は前面パネル部４１ａを有しており、輻射パネル３０は前面パネル部３１を有している。吹出口カバー４１の前面パネル部４１ａ、輻射パネル３０の前面パネル部３１及び開閉パネル４２は、ケーシング１０の前面において面一となるように配置され、前面パネル４を構成する。図２に示すように、前面パネル４の右上端部、すなわち吹出口カバー４１の前面パネル部４１ａの右端部には、電源ボタン１８と、運転状況を示す発光表示部１９とが設けられている。
【００４０】
本体フレーム１１は、壁面に取り付けられるものであり、上述の各種内部機器を支持している。前面グリル１２、吹出口カバー４１、輻射パネル３０及び開閉パネル４２は、内部機器を支持している状態の本体フレーム１１の前面に取り付けられている。吹出口カバー４１は、本体フレーム１１の上端部に取り付けられており、その上壁に左右方向に長い矩形状の開口である吹出口１０ｄが形成されている。輻射パネル３０は吹出口カバー４１の下方に、開閉パネル４２は輻射パネル３０の下方にそれぞれ取り付けられている。本体フレーム１１の下前端と開閉パネル４２の下端との間は、左右方向に長い開口である主吸込口１０ａとなっている。
【００４１】
ここで、ケーシング１０内に収容される各内部機器について説明する。
クロスフローファン２１は、ケーシング１０の高さ方向中央部分のやや上方において、その軸方向が左右方向に沿うように配置されている。クロスフローファン２１は、下前方から空気を吸い込んで、上後方に吹き出すようになっている。
【００４２】
室内熱交換器２２は、前面パネル４と略平行に配置されており、前面パネル４の背面と対向する前面熱交換器２２ａと、前面熱交換器２２ａの下端部近傍から背面に近付くにつれて上方に傾斜する背面熱交換器２２ｂとで構成されている。前面熱交換器２２ａは、クロスフローファン２１の前方に配置されており、その上半分がクロスフローファン２１と対向している。図４に示すように、前面熱交換器２２ａの上端は、クロスフローファン２１の上端よりも上方に位置している。背面熱交換器２２ｂは、クロスフローファン２１の下方に配置されている。すなわち、室内熱交換器２２は、全体として略Ｖ字の形状を有しており、クロスフローファン２１の前方と下方とを取り囲むように、クロスフローファン２１と対向して配置されている。
【００４３】
正面視において室内熱交換器２２の右側には、室外機５から送られてきた冷媒を室内熱交換器２２及び輻射パネル３０に供給するための配管が配置されている。より具体的には、図１において、分岐部６０ａから室内熱交換器２２及び輻射パネル３０にそれぞれ至る配管、並びに室内熱交換器２２及び輻射パネル３０から分岐部６０ｂにそれぞれ至る配管が、室内熱交換器２２の右側に配置されている。図５に示すように、これらの配管の前方には防滴カバー２３が取り付けられている。
【００４４】
室内熱交換器２２の下端部近傍には、左右方向に延在するドレンパン２４が配置されている。図５に示すように、正面視において、ドレンパン２４の左側の端部は、室内熱交換器２２の端部とほぼ対向する位置にあり、右側の端部は、室内熱交換器２２の右側に配置された配管と対向する位置にある。また、図４に示すように、ドレンパン２４の前後方向の端部は、室内熱交換器２２の前後方向の端部とほぼ対向する位置にある。図４に示すように、主吸込口１０ａから吸い込まれた空気は、ドレンパン２４の下方において前方側と後方側とに分かれ、前面熱交換器２２ａと背面熱交換器２２ｂとにそれぞれ供給される。
【００４５】
吹出口ユニット２５は、クロスフローファン２１の上方に配置されており、クロスフローファン２１から吹き出された空気をケーシング１０の上端部に形成された吹出口１０ｄへと導くものである。吹出口ユニット２５は、吹出口１０ｄの近傍に配置される水平フラップ２５ａを備えている。水平フラップ２５ａは、吹出口１０ｄから吹き出される空気流の上下方向の風向きを変更すると共に、吹出口１０ｄの開閉を行う。
【００４６】
電装品ユニット２６は、図５に示すように、ドレンパン２４の下方に配置されており、回路基板（図示せず）などを収容する電装品箱２６ａと、電装品箱２６ａに収容された基板と電気的に接続される端子台２６ｂとを有している。電装品箱２６ａは、室内熱交換器２２の右半分とほぼ対向する位置に配置されており、端子台２６ｂは、室内熱交換器２２の右側に配置された配管と対向する位置に配置されている。また、電装品ユニット２６から引き出された配線は、端子台２６ｂの右側からまっすぐ上方に引き回され、前面パネル４の右上端部に設けられた電源ボタン１８及び発光表示部１９のＬＥＤ発光体に接続されている。
【００４７】
前面グリル１２は、図６に示すように、上述の各種内部機器と、吹出口カバー４１と、輻射パネル３０とが取り付けられた状態の本体フレーム１１に取り付けられる。図４に示すように、前面グリル１２は、前面熱交換器２２ａの上下方向略中央部分から、本体フレーム１１の下端までを覆うように配置される。前面グリル１２の下端部には、主吸込口１０ａに配置される吸込口グリル１４が設けられている。また、前面グリル１２の本体フレーム１１を覆う部分には、後で詳述するように、輻射パネル３０の背面に設けられた主ガイド７２等と協働して、上部フィルタ１６ａ及び下部フィルタ１６ｂをガイドする主ガイド７１、７２等が設けられている。なお、図６に示すように、前面グリル１２の左右両側方には、ケーシング１０の側面の一部を構成するサイドパネル１５が取り付けられる。
【００４８】
ここで、図６に示すように、本実施形態の室内機１においては、左右に並んで配置される２枚の上部フィルタ１６ａと、各上部フィルタ１６ａの下方に配置される２枚の下部フィルタ１６ｂとの合計４枚のフィルタが取り付けられる。上部フィルタ１６ａの上下方向に沿う長さＬ１は、下部フィルタ１６ｂの上下方向に沿う長さＬ２よりも短く、上部フィルタ１６ａの幅（左右方向に沿う長さ）は、下部フィルタ１６ｂの幅とほぼ同じである。すなわち、上部フィルタ１６ａの面積は、下部フィルタ１６ｂの面積よりも小さい。
【００４９】
図４に示すように、上部フィルタ１６ａ及び下部フィルタ１６ｂは、前面熱交換器２２ａと前面パネル４との間の空間、すなわち主吸込口１０ａ及び補助吸込口１０ｂ、１０ｃから前面熱交換器２２ａに至る流路に設けられている。上部フィルタ１６ａは、図４において上フィルタ装着領域（Ａで示す領域）に装着されるものであり、上下方向に延在しており、その下端は前面熱交換器２２ａの上下方向略中央部分と対向している。下部フィルタ１６ｂは、図４において下フィルタ装着領域（Ｂで示す領域）に装着されるものであり、上部フィルタ１６ａの下端の近傍から下方に設けられていると共に、その下半分が前方に凸に湾曲している。より詳細には、下部フィルタ１６ｂは、室内熱交換器２２の下端部近傍に配置されたドレンパン２４よりも下方の部分が湾曲している。下部フィルタ１６ｂの下端は、主吸込口１０ａの後端縁近傍に位置している。
【００５０】
図１１においては、左方に配置される上部フィルタ１６ａの上フィルタ装着領域は、網掛けハッチングで示された領域に対応する。また、左方に配置される下部フィルタ１６ｂの下フィルタ装着領域は、ドットハッチングで示された領域に対応する。図１１に示すように、上フィルタ装着領域のうち上端側の大部分（下端部を除いた領域であり、図１１においてａ１で示す領域）は、輻射パネル３０によって覆われている。なお、輻射パネル３０は、本発明の外周部分に対応する。上フィルタ装着領域の下端部（図１１においてａ２で示す領域）及び下フィルタ装着領域は、開閉パネル４２と対向する領域にある。したがって、図１１に示すように、開閉パネル４２を取り外した状態では、上フィルタ装着領域の下端部及び下フィルタ装着領域は露出した状態となる。
【００５１】
上部フィルタ１６ａは、その装着領域の下端部に設けられたａ２で示す領域から上方に向かって挿入される。また、下部フィルタ１６ｂは、その装着領域の上端部から下方に向かって挿入される。
【００５２】
図６及び図１１に示すように、前面グリル１２には、上部フィルタ１６ａをガイドする上フィルタガイド部材７０の一部を構成する主ガイド７１と、下部フィルタ１６ｂをガイドする下フィルタガイド部材８０を構成する主ガイド８１及び補助ガイド８２とが設けられている。主ガイド７１、８１は、上フィルタ装着領域及び下フィルタ装着領域の左右に設けられた壁面１３において背面側に設けられており、補助ガイド８２は、壁面１３において前面側に設けられている。これら主ガイド７１、８１及び補助ガイド８２は、いずれも壁面１３から上フィルタ装着領域または下フィルタ装着領域に向かって突出するように形成されている。主ガイド７１、８１及び補助ガイド８２の詳細については、後述する。
【００５３】
図４に示すように、吹出口カバー４１は、吹出口ユニット２５を覆っている。そして、上述のように、吹出口カバー４１の上壁には吹出口１０ｄが形成されている。また、吹出口カバー４１の前面には、前面パネル部４１ａが設けられている。前面パネル部４１ａは、左右方向に長い矩形形状を有している。ここで、図３に示すように、前面パネル部４１ａの上下方向の長さをＬとする。
【００５４】
輻射パネル３０は、左右に長い略矩形形状を有しており、ケーシング１０の高さ方向中央より上方に設けられている。図４に示すように、輻射パネル３０は、アルミ製の前面パネル部３１と、前面パネル部３１の背面を覆うように取り付けられた樹脂製の断熱カバー３２と、前面パネル部３１の背面に接触するように取り付けられたパネル配管３３とで主に構成されている。パネル配管３３は、冷媒回路６０を構成する配管の一部である。室外機５から送られてきた冷媒はパネル配管３３内に流入し、前面パネル部３１の背面を正面視において右側端部から左側端部まで流れる。その後折り返して左側端部から右側端部まで流れ、右側端部からパネル配管３３の外に流れ出る。
【００５５】
前面パネル部３１の上下方向の長さは、吹出口カバー４１の前面パネル部４１ａのほぼ２倍である。すなわち、図３に示すように、前面パネル部３１の上下方向の長さは約２Ｌである。前面パネル部３１は、吹出口カバー４１の前面パネル部４１ａの下方に位置している。図４に示すように、輻射パネル３０の上下方向略中央部分は、前面熱交換器２２ａの上端部に対向している。
【００５６】
図８及び図１０に示すように、断熱カバー３２の背面には、上部フィルタ１６ａをガイドする上フィルタガイド部材７０の一部を構成する主ガイド７２及び補助ガイド７３が設けられている。なお、図１１においては、主ガイド７２を破線で示している。図１１に示すように、主ガイド７２は、前面グリル１２に設けられた主ガイド７１の上方に位置する。主ガイド７２は、上フィルタ装着領域の左右に設けられた壁面３４において背面側に設けられており、補助ガイド７３は、壁面３４において前面側に設けられている。これら主ガイド７２及び補助ガイド７３は、いずれも壁面３４から上フィルタ装着領域に向かって突出するように形成されている。主ガイド７２及び補助ガイド７３の詳細については、後述する。
【００５７】
開閉パネル４２は、輻射パネル３０の前面パネル部３１の下方に開閉可能に設けられている。開閉パネル４２は、左右方向に長い矩形形状を有しており、その上下方向の長さは、吹出口カバー４１の前面パネル部４１ａのほぼ４倍である。すなわち、図３に示すように、開閉パネル４２の上下方向の長さは約４Ｌである。図４に示すように、開閉パネル４２の上端の上下方向位置は、前面グリル１２の上端とほぼ同じである。上述のように、開閉パネル４２の下端は、主吸込口１０ａの一部を構成している。したがって、上述のように、開閉パネル４２を取り外すことにより、前面グリル１２に設けられた上フィルタ装着領域の下端部（領域ａ２）と、下フィルタ装着領域（領域Ｂ）とを露出させ、上部フィルタ１６ａ及び下部フィルタ１６ｂの着脱を行うことができるフィルタ挿入可能状態となる。
【００５８】
上述のように、前面パネル４は、吹出口カバー４１に設けられた前面パネル部４１ａと、輻射パネル３０に設けられた前面パネル部３１と、開閉パネル４２とで構成されている。そして、輻射パネル３０の前面パネル部３１と開閉パネル４２との間には、左右方向（水平方向）に伸延するスリット状の開口である補助吸込口１０ｂが形成されている。また、開閉パネル４２の上端近傍にも、左右方向に伸延するスリット状の開口である補助吸込口１０ｃが形成されている。図３に示すように、開閉パネル４２の上端と補助吸込口１０ｃとの上下方向に関する距離はＬである。
【００５９】
すなわち、前面パネル４の上下方向の長さは７Ｌであり、補助吸込口１０ｂは、前面パネル４の上端から３Ｌの位置、補助吸込口１０ｃは、前面パネル４の下端から３Ｌの位置にそれぞれ形成されている。つまり、補助吸込口１０ｂ、１０ｃは、前面パネル４の上下方向（高さ方向）中央の領域に設けられている。また、図４に示すように、補助吸込口１０ｂ、１０ｃは、前面熱交換器２２ａと対向している。
【００６０】
＜上フィルタガイド部材７０及び下フィルタガイド部材８０＞
上フィルタガイド部材７０は、左右に並んで配置される２枚の上部フィルタ１６ａの上フィルタ装着領域にそれぞれ設けられており、上部フィルタ１６ａをガイドする。上フィルタガイド部材７０は、上述のように、前面グリル１２に設けられた主ガイド７１と、前面グリル１２の一部である壁面１３と、輻射パネル３０に設けられた主ガイド７２及び補助ガイド７３と、輻射パネル３０の一部である壁面３４とで構成される。主ガイド７１、７２は、本発明の第１ガイド部に対応する。
【００６１】
主ガイド７１は、前面グリル１２の上端部に形成されており、上フィルタガイド部材７０によってガイドされる上部フィルタ１６ａのフィルタ面と略平行となっている。主ガイド７１は、特に、上部フィルタ１６ａの挿入開始時において、上部フィルタ１６ａの左右両端部をガイドするものである。すなわち、主ガイド７１が、第１ガイド部材の挿入開始部に対応する。より詳細には、主ガイド７１は、上部フィルタ１６ａの左右両端部の背面と当接し、前面グリル１２の壁面１３と共に、上部フィルタ１６ａの挿入方向を規制する。
【００６２】
主ガイド７２は、主ガイド７１よりも上方（上部フィルタ１６ａの挿入方向に関して主ガイド７１よりも下流側）において、上部フィルタ１６ａの左右両端部をガイドするものであり、上部フィルタ１６ａのフィルタ面と略平行となっている。主ガイド７２は、より詳細には、主ガイド７２は、上部フィルタ１６ａの左右両端部の背面と当接し、輻射パネル３０の壁面３４と共に、上部フィルタ１６ａの挿入方向を規制する。
【００６３】
補助ガイド７３は、主ガイド７２の前方に形成されている。図８及び図９に示すように、補助ガイド７３の上半分は上下方向に延在しており、補助ガイド７３の下半分は前方に向かって傾斜している。これにより、上フィルタガイド部材７０に装着される上部フィルタ１６ａは、その上端部分の左右両端部が主ガイド７２と補助ガイド７３とによって挟持される。なお、補助ガイド７３の下端は、断熱カバー３２の下前端と一致している。したがって、輻射パネル３０の下方から上方に向かって上部フィルタ１６ａを挿入する際に、上部フィルタ１６ａが挿入経路から外れるのを防ぐことができる。すなわち、上部フィルタ１６ａの背面を主ガイド７２に当接させずに、主ガイド７２から浮かした状態で挿入しても、断熱カバー３２の下前端まで延びた補助ガイド７３により、補助ガイド７３の前方の領域に上部フィルタ１６ａが入り込むことがない。
【００６４】
下フィルタガイド部材８０は、左右に並んで配置される２枚の下部フィルタ１６ｂの上フィルタ装着領域にそれぞれ設けられており、下部フィルタ１６ｂをガイドする。下フィルタガイド部材８０は、上述のように、前面グリル１２に設けられた主ガイド８１及び補助ガイド８２と、前面グリル１２の一部である壁面１３で構成されている。
【００６５】
主ガイド８１は、前面グリル１２の下端部から主ガイド７１の下端まで延びており、下フィルタガイド部材８０によってガイドされる下部フィルタ１６ｂのフィルタ面と略平行に設けられている。そして、下部フィルタ１６ｂの左右両端部の背面と当接し、前面グリル１２の壁面１３と共に、下部フィルタ１６ｂの挿入方向を規制する。すなわち、主ガイド８１が、本発明の第２ガイド手段に対応する。主ガイド８１の上半分は上下方向に沿って延在しており、主ガイド８１の下半分は前方に凸に湾曲している。図７に示すように、補助ガイド８２は、主ガイド８１の湾曲部分の前方に設けられている。これにより、下フィルタガイド部材８０に装着される下部フィルタ１６ｂは、その下半分の左右両端部が主ガイド８１と補助ガイド８２とによって挟持され、前方に凸に湾曲した状態になる。
【００６６】
ここで、図１２を参照しつつ、上フィルタガイド部材７０及び下フィルタガイド部材８０のガイド幅について説明する。ガイド幅とは、上フィルタガイド部材７０または下フィルタガイド部材８０において、フィルタ面と略平行であって、上部フィルタ１６ａまたは下部フィルタ１６ｂの左右両端部をそれぞれガイドする部分の幅の合計である。すなわち、上フィルタガイド部材７０の挿入開始部（領域ａ２）のガイド幅は、上フィルタ装着領域の左右両端部において、上部フィルタ１６ａの背面とそれぞれ当接してフィルタの挿入方向を規制する主ガイド７１の合計幅である。また、上フィルタガイド部材７０の挿入開始部よりもフィルタ挿入方向下流側の部分（領域ａ１）のガイド幅は、上フィルタ装着領域の左右両端部において、上部フィルタ１６ａの背面とそれぞれ当接してフィルタの挿入方向を規制する主ガイド７２の合計幅である。さらに、下フィルタガイド部材８０のガイド幅（すなわち、下フィルタ装着領域である領域Ｂのガイド幅）は、下フィルタ装着領域の左右両端部において、下部フィルタ１６ｂの背面とそれぞれ当接してフィルタの挿入方向を規制する主ガイド８１の合計幅である。
【００６７】
図１２に示すように、上フィルタ装着領域（領域Ａ）の左側端部に位置する主ガイド７１の幅は、Ｗ１である。なお、本実施形態においては、上フィルタ装着領域の左右両端部にそれぞれ設けられた主ガイド７１の幅は等しい。したがって、上フィルタガイド部材７０の挿入開始部（領域ａ２）のガイド幅は、２×Ｗ１である。また、上フィルタ装着領域（領域Ａ）の左側端部に位置する主ガイド７２の幅、及び、下フィルタ装着領域（領域Ｂ）の左側端部に位置する主ガイド８１の幅は、いずれもほぼ等しく、Ｗ２である。なお、主ガイド７１と同様に、領域Ａの左右両端部にそれぞれ設けられた主ガイド７２の幅、及び領域Ｂの左右両端部にそれぞれ設けられた主ガイド８１の幅はいずれも等しい。したがって、上フィルタガイド部材７０の挿入開始部よりもフィルタ挿入方向下流側の部分（領域ａ１）のガイド幅、及び下フィルタ装着領域（領域Ｂ）のガイド幅は、２×Ｗ２である。そして、上フィルタガイド部材７０の挿入開始部である領域ａ２におけるガイド幅（２×Ｗ１）は、上フィルタガイド部材７０の挿入開始部より挿入方向下流側の領域ａ１及び下フィルタ装着領域である領域Ｂにおけるガイド幅（２×Ｗ２）よりも大きい。
【００６８】
また、主ガイド７２、８１の幅Ｗ２は、上部フィルタ１６ａ及び下部フィルタ１６ｂの左右両端部の桟の幅とほぼ同じ幅である。さらに、主ガイド７２、８１と対向する位置にそれぞれ配置される補助ガイド７３、８２の幅も、主ガイド７２、８１の幅Ｗ２とほぼ同じである。したがって、上フィルタガイド部材７０及び下フィルタガイド部材８０に上部フィルタ１６ａ及び下部フィルタ１６ｂを装着した際に、主ガイド７２、８１や補助ガイド７３、８２によって通風抵抗が増大したり、上部フィルタ１６ａ及び下部フィルタ１６ｂにおいて塵埃を除去できる範囲が狭くなったりするのを防ぐことができる。
【００６９】
＜上部フィルタ１６ａ及び下部フィルタ１６ｂの装着手順＞
次に、図１３及び図１４をさらに参照しつつ、上部フィルタ１６ａ及び下部フィルタ１６ｂの装着手順について説明する。なお、図１４においては、下フィルタガイド部材８０の下端部の湾曲した部分を平面的に示している。
まず、図１１に示すように、開閉パネル４２を取り外して、フィルタ挿入可能状態とする。これにより、上フィルタガイド部材７０の挿入開始部（領域ａ２）である主ガイド７１、及び下フィルタガイド部材８０の主ガイド８１が露出した状態となる。
【００７０】
上部フィルタ１６ａを装着する場合には、図１３（ａ）に示すように、上部フィルタ１６ａの上端部分の左右両端部の背面を、２×Ｗ１のガイド幅を有する上フィルタガイド部材７０の挿入開始部（主ガイド７１）と当接させる。このとき、壁面１３及び主ガイド７１によって、上部フィルタ１６ａの挿入方向が規制される。続いて、上述のように挿入方向が規制された状態の上部フィルタ１６ａを、挿入方向（上方向）に沿って挿入し、輻射パネル３０によって覆われた領域ａ１に向けてスライドさせる。このとき、上部フィルタ１６ａは、壁面１３及び主ガイド７１によってガイドされる。そして、図１３（ｂ）に示すように、上部フィルタ１６ａの上端部分が輻射パネル３０によって覆われた領域ａ１に達すると、上部フィルタ１６ａの上端部分の左右両端部の背面は、２×Ｗ２（＜２×Ｗ１）のガイド幅を有する、上フィルタガイド部材７０の挿入開始部よりフィルタ挿入方向下流側の部分（主ガイド７２）と当接する。
【００７１】
その後、壁面３４及び主ガイド７２によってガイドされた状態で、図１３（ｃ）に示すように、上部フィルタ１６ａ全体が上フィルタ装着領域（領域Ａ）内に収まるまで上部フィルタ１６ａを挿入する。このとき、上部フィルタ１６ａの上端部分の左右両端部が主ガイド７２及び補助ガイド７３（図９等参照）によって挟持され、上部フィルタ１６ａが上フィルタガイド部材７０によって保持された状態となる。
【００７２】
また、下部フィルタ１６ｂを装着する場合には、図１４（ａ）に示すように、下部フィルタ１６ｂの下端部分の左右両端部の背面を、主ガイド８１の上端部と当接させる。このとき、壁面１３及び主ガイド８１によって、下部フィルタ１６ｂの挿入方向が規制される。続いて、上述のように挿入方向が規制された状態の下部フィルタ１６ｂを、挿入方向（下方向）に沿って挿入する。
【００７３】
そして、図１４（ｂ）に示すように、下部フィルタ１６ｂ全体が下フィルタ装着領域である領域Ｂ内に収まる位置まで下部フィルタ１６ｂを挿入することで、下部フィルタ１６ｂの装着が完了する。このとき、下部フィルタ１６ｂは、その下半分の左右両端部が主ガイド８１及び補助ガイド８２（図７等参照）によって挟持されて前方に凸に湾曲した状態で、下フィルタガイド部材８０によって保持された状態となる。
【００７４】
＜本実施形態の空気調和機１００の特徴＞
本実施形態の空気調和機１００に備えられた室内機１は、ケーシング１０内において主吸込口１０ａから前面熱交換器２２ａに至る流路に設けられた上部フィルタ１６ａ及び下部フィルタ１６ｂを備えている。上部フィルタ１６ａは、その装着領域の一部（図１１等においてａ１で示す領域）が輻射パネル３０によって覆われており、フィルタ挿入可能状態において、輻射パネル３０によって覆われた領域に向かって挿入される。下部フィルタ１６ｂは、上部フィルタ１６ａの挿入方向とは反対方向に挿入される。
したがって、上部フィルタ１６ａと下部フィルタ１６ｂとの２つにフィルタを分割することにより、１枚のフィルタを輻射パネル３０によって覆われた領域に向かって挿入する場合に比べて、輻射パネル３０によって覆われた領域へのフィルタの挿入を容易にできる。また、上部フィルタ１６ａと下部フィルタ１６ｂとは互いに反対方向に挿入されるので、１枚のフィルタが一方向に挿入される場合と比べて、容易に挿入できる。
【００７５】
また、本実施形態の空気調和機１００に備えられた室内機１では、上部フィルタ１６ａと下部フィルタ１６ｂとが上下に並ぶように設けられている。すなわち、上方に位置する上部フィルタ１６ａのフィルタ装着領域が輻射パネル３０で覆われているので、このフィルタ装着領域を目視することは困難であるが、本発明を適用することで、上部フィルタ１６ａを容易に挿入できる。
【００７６】
さらに、本実施形態の空気調和機１００に備えられた室内機１では、上部フィルタ１６ａの面積が、下部フィルタ１６ｂの面積よりも小さい。したがって、輻射パネル３０によって覆われた領域に挿入される上部フィルタ１６ａの面積が比較的小さいので、装着がより容易である。
【００７７】
加えて、本実施形態の空気調和機１００に備えられた室内機１では、上部フィルタ１６ａの装着領域の一部が、冷媒回路６０を構成する配管の一部であるパネル配管３３を有する輻射パネル３０によって覆われている。したがって、パネル配管３３を有しており簡単に取り外すことができない輻射パネル３０でフィルタ装着領域が覆われている場合でも、フィルタ領域が覆われたままの状態でフィルタを容易に挿入できる。
【００７８】
また、本実施形態の空気調和機１００に備えられた室内機１では、輻射パネル３０が、ケーシング１０の高さ方向中央より上方に設けられている。したがって、床面近傍に設置された室内機１の輻射パネル３０の下方から、輻射パネル３０で覆われた領域に上部フィルタ１６ａを挿入する場合でも、容易にフィルタを挿入できる。
【００７９】
さらに、本実施形態の空気調和機１００に備えられた室内機１では、ケーシング１０が、輻射パネル３０の下方において開閉可能に設けられた開閉パネル４２を有している。そして、開閉パネル４２が開状態となることでフィルタ挿入可能状態となる。したがって、開閉パネル４２を開くことによって、上部フィルタ１６ａ及び下部フィルタ１６ｂを挿入できる。
【００８０】
また、本実施形態の空気調和機１００に備えられた室内機１は、床面近傍に設置される。したがって、目線よりも下方に設置される床置き室内機１において、輻射パネル３０で覆われたフィルタ装着領域に上部フィルタ１６ａを容易に挿入できる。
【００８１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００８２】
例えば、上述の実施形態では、上下方向に並ぶように設けられた上部フィルタ１６ａと下部フィルタ１６ｂとを備えている場合について説明したが、これには限定されない。上部フィルタ１６ａと下部フィルタ１６ｂとは、水平方向に関して異なる位置に設けられていてもよい。また、左右方向に並ぶように設けられた２つのフィルタを備えており、一方のフィルタの装着領域の一部がケーシングの一部によって覆われており、そのフィルタがケーシングの一部によって覆われた領域に向かって、左方向または右方向に挿入されてもよい。そして、他方のフィルタが右方向または左方向に挿入されてもよい。
【００８３】
また、上述の実施形態では、上フィルタ装着領域（領域Ａ）は、フィルタ挿入可能状態において、上フィルタガイド部材７０の挿入開始部分よりも上方（領域ａ１）が輻射パネル３０によって覆われており、挿入開始部（領域ａ２）が露出している場合について説明したが、これには限定されない。すなわち、例えば、上フィルタ装着領域の全体が輻射パネル３０によって覆われていてもよい。
【００８４】
加えて、上述の実施形態では、上部フィルタ１６ａの面積が、下部フィルタ１６ｂの面積よりも小さい場合について説明したが、これには限定されない。上部フィルタ１６ａの面積は、下部フィルタ１６ｂの面積と同じでもよいし、下部フィルタ１６ｂの面積よりも大きくてもよい。
【００８５】
さらに、上述の実施形態では、上部フィルタ１６ａの装着領域の一部が、輻射パネル３０によって覆われている場合について説明したが、これには限定されない。本発明は、フィルタ挿入可能状態において、フィルタの装着領域の一部が、ケーシング１０の一部で覆われている場合に適用可能である。
【００８６】
また、上述の実施形態では、輻射パネル３０が、ケーシング１０の高さ方向中央より上方に設けられている場合について説明したが、輻射パネル３０は、ケーシング１０の高さ方向中央よりも下方に設けられていてもよい。
【００８７】
また、上述の実施形態では、ケーシング１０が、輻射パネル３０の下方において開閉可能に設けられた開閉パネル４２を有している場合について説明したが、これには限定されない。すなわち、例えば、輻射パネル３０の上方に開閉可能なパネルが設けられていてもよい。さらに、開閉パネル４２が設けられておらず、ケーシング１０における輻射パネル３０の下方が常に開放された状態となっていてもよい。
【００８８】
また、上述の実施形態では、ケーシング１０の下端部に形成された主吸込口１０ａから空気を吸い込み、ケーシング１０の上端部に形成された吹出口１０ｄから空気を吹き出す室内機１について説明したが、これには限定されない。すなわち、ケーシング１０の上端部に形成された吸込口から空気を吸い込み、ケーシング１０の下端部に形成された吹出口から空気を吹き出す室内機に対して本発明を適用してもよい。
【００８９】
加えて、上述の実施形態では、床面から１０ｃｍ程度浮かした状態で、壁面に取り付けられる床置き室内機１について説明したが、これには限定されない。本発明は、床面近傍に設置される床置き室内機全般に適用可能である。したがって、床面に設置される床置き室内機に適用してもよい。また、本発明は、床面近傍に設置される室内機だけでなく、天井近傍に設置される壁掛け室内機に適用することも可能である。
【産業上の利用可能性】
【００９０】
本発明を利用すれば、フィルタを容易に挿入することができる。
【符号の説明】
【００９１】
１  室内機
１０  ケーシング
１０ａ  主吸込口
１６ａ  上部フィルタ（第１フィルタ）
１６ｂ  下部フィルタ（第２フィルタ）
２２  室内熱交換器
３０  輻射パネル（外周部分）
４２  開閉パネル（開閉部材）
６０  冷媒回路
１００  空気調和機
【図１】
2012102888.tif 000003
【図２】
2012102888.tif 000004
【図３】
2012102888.tif 000005
【図４】
2012102888.tif 000006
【図５】
2012102888.tif 000007
【図６】
2012102888.tif 000008
【図７】
2012102888.tif 000009
【図８】
2012102888.tif 000010
【図９】
2012102888.tif 000011
【図１０】
2012102888.tif 000012
【図１１】
2012102888.tif 000013
【図１２】
2012102888.tif 000014
【図１３】
2012102888.tif 000015
【図１４】
2012102888.tif 000016
【図１５】
2012102888.tif 000017
【図１６】
2012102888.tif 000018